【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
メディアオブジェクトを管理する方法であって、
第１メディアオブジェクトのコンテンツに基づいて識別子（ＩＤ）を生成するアルゴリズムを用意するステップと、
前記第１メディアオブジェクトのＩＤを生成するステップと、
を有し、前記ＩＤは第１装置が第２装置にとっての第１メディアオブジェクトを確認可能にし、前記第２装置は前記ＩＤを利用して前記ＩＤに関連する第２メディアオブジェクトが前記第２装置にとってアクセス可能か否かの判別を行い、前記第１メディアオブジェクト及び第２メディアオブジェクトは実質的に同じコンテンツを含み、前記判別は、前記第１及び第２メディアオブジェクトのソース情報によらず或いは前記第１及び第２メディアオブジェクトのディジタル権によらずなされる
ことを特徴とする方法。
【請求項２】
前記第１メディアオブジェクトの前記コンテンツに基づいて暗号鍵を生成するステップと、
前記第２メディアオブジェクトの前記コンテンツに基づいて前記暗号鍵を生成するステップと、
前記暗号鍵を用いて第１メディアオブジェクトを暗号化するステップと、
暗号化された第１メディアオブジェクトを前記第２装置に送信するステップと、
を更に有し、前記第２装置は、前記第２メディアオブジェクトの前記コンテンツに基づいて生成された暗号鍵を利用して、暗号化された第１メディアオブジェクトを解読することができる
ことを特徴とする請求項１記載の方法。
【請求項３】
前記第１メディアオブジェクトの前記コンテンツの一部に基づいて第２ＩＤを生成するステップと、
前記第２ＩＤ及び前記第２ＩＤを生成するのに使用された前記コンテンツの部分の指標を前記第２装置に伝送するステップと、
を更に有し、前記第２装置は前記コンテンツの前記一部が前記第２装置にとってアクセス可能か否かを判別可能である
ことを特徴とする請求項１記載の方法。
【請求項４】
メディアオブジェクトを管理する方法であって、
リーダを用いて入力メディアオブジェクトの入力識別子（ＩＤ）を決定するステップであって、前記入力ＩＤは前記入力メディアオブジェクトのコンテンツに基づいて生成されるところのステップと、
前記入力ＩＤと１以上のメディアオブジェクトに関するリーダＩＤとを比較し、前記入力ＩＤがリーダＩＤに合致するか否かを判別するステップであって、各リーダＩＤは前記１以上のメディアオブジェクト中のメディアオブジェクトのコンテンツに基づいて生成されるところのステップと、
前記入力ＩＤがリーダＩＤと符号する場合に、該リーダＩＤを生成するのに使用されたメディアオブジェクトを判別するステップと、
を有することを特徴とする方法。
【請求項５】
要求を送信するステップが、前記リーダに関連する鍵を用いて入力ＩＤを暗号化するステップを有する
ことを特徴とする請求項４記載の方法。
【請求項６】
入力メディアオブジェクトに実質的に一致するコンテンツを有する要求されたメディアオブジェクトを、前記リーダから離れた遠隔的なサービスにより受信するステップを更に有する
ことを特徴とする請求項５記載の方法。
【手続補正２】
【補正対象書類名】明細書
【補正対象項目名】０１１２
【補正方法】変更
【補正の内容】
【０１１２】
上記の説明は例示であって限定ではない。開示内容を検討することで本発明に関する多くの変形例が当業者には明白になるであろう。従って本発明の範囲は上記の説明を参照しながら決定されるのではなく、その全範囲又は均等物と共に添付の特許請求の範囲を参照することで決定される。
以下、本発明により教示される手段を例示的に列挙する。
（第１）
メディアオブジェクトを管理する方法であって、
第１メディアオブジェクトのコンテンツに基づいて識別子（ＩＤ）を生成するアルゴリズムを用意するステップと、
前記第１メディアオブジェクトのＩＤを生成するステップと、
を有し、前記ＩＤは第１装置が第２装置にとっての第１メディアオブジェクトを確認可能にし、前記第２装置は前記ＩＤを利用して前記ＩＤに関連する第２メディアオブジェクトが前記第２装置にとってアクセス可能か否かの判別を行い、前記第１メディアオブジェクト及び第２メディアオブジェクトは実質的に同じコンテンツを含み、前記判別は、前記第１及び第２メディアオブジェクトのソース情報によらず或いは前記第１及び第２メディアオブジェクトのディジタル権によらずなされる
ことを特徴とする方法。
（第２）
前記第１メディアオブジェクトの前記コンテンツに基づいて暗号鍵を生成するステップと、
前記第２メディアオブジェクトの前記コンテンツに基づいて前記暗号鍵を生成するステップと、
前記暗号鍵を用いて第１メディアオブジェクトを暗号化するステップと、
暗号化された第１メディアオブジェクトを前記第２装置に送信するステップと、
を更に有し、前記第２装置は、前記第２メディアオブジェクトの前記コンテンツに基づいて生成された暗号鍵を利用して、暗号化された第１メディアオブジェクトを解読することができる
ことを特徴とする第１項記載の方法。
（第３）
前記ＩＤを前記第２装置に送信するステップを更に有し、前記第２装置は前記ＩＤを利用して前記ＩＤに関連する第２メディアオブジェクトが前記第２装置にとってアクセス可能か否かを判別する
ことを特徴とする第１項記載の方法。
（第４）
前記第１メディアオブジェクトの前記コンテンツの一部に基づいて第２ＩＤを生成するステップと、
前記第２ＩＤ及び前記第２ＩＤを生成するのに使用された前記コンテンツの部分の指標を前記第２装置に伝送するステップと、
を更に有し、前記第２装置は前記コンテンツの前記一部が前記第２装置にとってアクセス可能か否かを判別可能である
ことを特徴とする第１項記載の方法。
（第５）
暗号鍵を用いて暗号化される前記第２メディアオブジェクトを前記第１装置で受信するステップと、
暗号化された第２メディアオブジェクトを解読可能にする解読鍵を利用して前記第２メディアオブジェクトを解読するステップと、
を更に有することを特徴とする第１項記載の方法。
（第６）
解読された第２メディアオブジェクトを出力するステップを更に有する
ことを特徴とする第１項記載の方法。
（第７）
メディアオブジェクトを管理する方法であって、
リーダを用いて入力メディアオブジェクトの入力識別子（ＩＤ）を決定するステップであって、前記入力ＩＤは前記入力メディアオブジェクトのコンテンツに基づいて生成されるところのステップと、
前記入力ＩＤと１以上のメディアオブジェクトに関するリーダＩＤとを比較し、前記入力ＩＤがリーダＩＤに合致するか否かを判別するステップであって、各リーダＩＤは前記１以上のメディアオブジェクト中のメディアオブジェクトのコンテンツに基づいて生成されるところのステップと、
前記入力ＩＤがリーダＩＤと符号する場合に、該リーダＩＤを生成するのに使用されたメディアオブジェクトを判別するステップと、
を有することを特徴とする方法。
（第８）
要求を送信するステップが、前記リーダに関連する鍵を用いて入力ＩＤを暗号化するステップより成る
ことを特徴とする第７項記載の方法。
（第９）
入力メディアオブジェクトに実質的に一致するコンテンツを有する要求されたメディアオブジェクトを、前記リーダから離れた遠隔的なサービスにより受信するステップを更に有する
ことを特徴とする第８項記載の方法。
（第１０）
要求されたメディアオブジェクトを解読するステップを更に有する
ことを特徴とする第９項記載の方法。
（第１１）
解読されたメディアオブジェクトを出力するステップを更に有する
ことを特徴とする第１０項記載の方法。
（第１２）
メディアオブジェクトを管理する方法であって、
第１メディアオブジェクトのＩＤを前記第１メディアオブジェクトのコンテンツに基づいて第１装置で生成するステップと、
前記ＩＤを第２装置へ転送するステップと、
を有し、前記第２装置は、前記ＩＤを用いて、前記ＩＤに関連する第２メディアオブジェクトが該第２装置にとってアクセス可能であるか否かの判別を行い、前記第１メディアオブジェクト及び第２メディアオブジェクトは実質的に同じコンテンツを含み、前記判別は、前記第１及び第２メディアオブジェクトのソース情報によらず或いは前記第１及び第２メディアオブジェクトのディジタル権によらずなされる
ことを特徴とする方法。
（第１３）
前記転送するステップが、
前記ＩＤの一定の表現を作成するステップと、
前記ＩＤの一定の表現を前記第２装置を用いて読み取るステップと、
を有することを特徴とする第１２項記載の方法。
（第１４）
メディアオブジェクトに関するディジタル権利マネジメント機能をもたらす方法であって、
前記メディアオブジェクトの暗号化されていないコンテンツに基づいてＩＤを及び前記暗号化されていないコンテンツに基づいて暗号鍵を生成するステップと、
前記ＩＤを用いて装置からの要求を受信するステップと、
前記暗号鍵を用いて前記メディアオブジェクトを暗号化するステップと、
前記暗号鍵で暗号化されたメディアオブジェクトを前記装置に送信するステップと、
を有し、前記装置は、該装置が前記暗号鍵で解読可能なメディアオブジェクトに以前にアクセスしていた場合しか、暗号化されたメディアオブジェクトを解読できない
ことを特徴とする方法。
（第１５）
暗号化されたメディアオブジェクトを受信するステップと、
第２暗号鍵を用いて前記メディアオブジェクトを解読するステップと、
を更に有し、前記装置は、該装置が暗号化されたメディアオブジェクトを受信し且つ前記第２暗号鍵で前記メディアオブジェクトを解読していた場合しか、暗号化されたメディアオブジェクトを解読できない
ことを特徴とする第１４項記載の方法。